(57)【要約】【課題】床面を傷つけることなく汚れを効果的に落とすことができる上、使い勝手のよいデッキブラシを提供する。【解決手段】ブラシ本体２に植設しりブラシ毛を真鍮製とする。また、該ブラシ本体２を取付金具３に取り付けるにあたっては、取付金具３の突部１４、１４・・が突設されている側を基台５の上面に当接させ、取付ボルト７を基台５の下面側から挿通孔を介して取付孔１３を挿通させ、フランジ部１１の上方から蝶ナット８により締め付け固定して取り付ける。このようなブラシ本体２の取付状態にあっては、突部１４、１４・・が基台５の上面に食い込んでおり、ブラシ本体２の取付ボルト７を中心とした回転は防止されている。【選択図】図１
0003125164.tif 000002
【実用新案登録請求の範囲】
【請求項１】
柄の先端に取付金具を介してブラシ本体を取り付けてなるデッキブラシであって、
前記ブラシ本体に、真鍮製のブラシ毛を植設したことを特徴とするデッキブラシ。
【請求項２】
取付金具に、ブラシ本体の基台上面に当接させるフランジ部を設け、該フランジ部にボルトを挿通可能な取付孔を設ける一方、前記ブラシ本体の基台にも前記ボルトを挿通可能な挿通孔を設け、
前記ブラシ本体の基台下面側から前記挿通孔を介して前記取付孔に前記ボルトを挿通させて、前記フランジ上方からナットを締め付け固定することにより、前記ブラシ本体を前記取付金具に取り付けたことを特徴とする請求項１に記載のデッキブラシ。
【請求項３】
取付金具のフランジ部の下面に、ブラシ本体取付時に該ブラシ本体の基台に食い込む複数の突部を設けるとともに、少なくとも一の突部を、他の突部とは取付孔の中心から異なる半径位置に設けたことを特徴とする請求項２に記載のデッキブラシ。
【考案の詳細な説明】
【技術分野】
【０００１】
本考案は、柄の先端に取付金具を介してブラシ本体を取り付けてなるデッキブラシに関するものである。
【背景技術】
【０００２】
従来より、床面を清掃するためのブラシとして、柄の先端に取付金具を介してブラシ本体を取り付けてなるデッキブラシが知られており、ブラシ毛を合成樹脂製とした特許文献１に記載のものや、ブラシ毛をスチール製とした特許文献２に記載のものがある。
【０００３】
【特許文献１】登録実用新案第３０３５１９１号公報
【特許文献２】特開２００５−２１１２２２号公報
【考案の開示】
【考案が解決しようとする課題】
【０００４】
しかしながら、エンボス加工が施されて表面に微少な凹凸が設けられているような床面を清掃する場合、ブラシ毛を合成樹脂製としたものでは、ブラシ毛の剛性が低すぎるため、ブラシ本体を床面に押しつけた際にブラシ毛が床面に対してねてしまい、凹部内の汚れを掻き出すことができなかった。また、ブラシ毛をスチール製としたものでは、ブラシ毛の剛性及び硬度が高すぎるため、床面を傷つけてしまう。特に、エンボス加工が施されているような床面に対して使用すると、凸部が削りとられてしまい、スリップ防止といったエンボス加工の機能を損ねてしまうことになる。加えて、ブラシ毛をスチール製とすると、床面へ押しつけた際にブラシ毛の根元に塑性変形が生じてしまい、二度目以降の使用に支障をきたす場合が多々あり、使い勝手が悪いという問題がある。
【０００５】
そこで、本考案は、上記課題に鑑みなされたものであって、たとえエンボス加工が施されているような床面であっても床面を傷つけることなく汚れを効果的に落とすことができる上、使い勝手のよいデッキブラシを提供しようとするものである。
【課題を解決するための手段】
【０００６】
上記目的を達成するために、本考案のうち請求項１に記載の考案は、柄の先端に取付金具を介してブラシ本体を取り付けてなるデッキブラシであって、前記ブラシ本体に、真鍮製のブラシ毛を植設したことを特徴とする。
請求項２に記載の考案は、請求項１に記載の考案において、取付金具に、ブラシ本体の基台上面に当接させるフランジ部を設け、該フランジ部にボルトを挿通可能な取付孔を設ける一方、前記ブラシ本体の基台にも前記ボルトを挿通可能な挿通孔を設け、前記ブラシ本体の基台下面側から前記挿通孔を介して前記取付孔に前記ボルトを挿通させて、前記フランジ上方からナットを締め付け固定することにより、前記ブラシ本体を前記取付金具に取り付けたことを特徴とする。
請求項３に記載の考案は、請求項２に記載の考案において、取付金具のフランジ部の下面に、ブラシ本体取付時に該ブラシ本体の基台に食い込む複数の突部を設けるとともに、少なくとも一の突部を、他の突部とは取付孔の中心から異なる半径位置に設けたことを特徴とする。
【考案の効果】
【０００７】
本考案によれば、ブラシ本体に植設するブラシ毛を真鍮製としているため、ブラシ毛に適度な剛性、硬度、及び弾性をもたせることができる。したがって、エンボス加工が施されているような床面であっても、床面を傷つけることなく凹部内の汚れを確実に掻き出すことができる。さらに、スチール製のブラシ毛とは異なり、ブラシ毛が塑性変形しにくく、繰り返しの使用に耐えることができる。
また、請求項２に記載の考案によれば、取付金具に、ブラシ本体の基台上面に当接させるフランジ部を設け、該フランジ部にボルトを挿通可能な取付孔を設ける一方、ブラシ本体の基台にもボルトを挿通可能な挿通孔を設け、ブラシ本体の基台下面側から挿通孔を介して取付孔にボルトを挿通させて、フランジ上方からナットを締め付け固定することにより、ブラシ本体を取付金具に取り付けている。すなわち、取付金具に対してブラシ本体を着脱できるようにしているため、繰り返しの使用によってブラシ毛がすり減った場合等には、ブラシ本体のみを交換すればよく、ブラシ本体の着脱が困難な一体型のブラシと比較すると、廃棄物の削減といった効果を期待することができるし、消費者は、ブラシ本体のみをストックしておけばよいため、保管場所の問題やコスト面においても利点を有しており、実用性が高い。さらに、ボルトとナットとの締め付け固定によって、取付金具にブラシ本体を取り付けることができるため、取付金具へ取り付けるためのブラシ本体の大きさが制限されることがなく、様々な大きさのブラシ本体を取り付けることができる。したがって、場所や目的によってブラシ本体を選択して使用することができ、汎用性に富む。
加えて、請求項３に記載の考案によれば、取付金具に、ブラシ本体を取り付けた際にブラシ本体の基台上面に食い込む突部を設けているため、使用時にブラシ本体がボルトを軸として回転してしまう事態を防止することができる。また、少なくとも一の突部を、他の突部とは取付孔の中心から異なる半径位置に設けているため、ブラシ本体の取付状態においてブラシ本体に大きな外力がかかり、ブラシ本体が傾いてしまった（回転方向へずれた）場合に、突部による傷が一連の溝となりにくい。したがって、同じ半径位置に突部を設けているものと比較すると、同一のブラシ本体に対する回転防止のための機能を、より長期間にわたって維持することができる。
【考案を実施するための最良の形態】
【０００８】
以下、本考案の一実施形態となるデッキブラシ（以下、ブラシと称す）について図面を基に説明する。
【０００９】
図１は、本考案にかかるブラシ１の先端部分を示した斜視説明図である。また、図２は、取付金具３を上方から見た説明図であり、図３は、取付金具３を側方から見た説明図である。
ブラシ１は、柄４の先端に取付金具３を介してブラシ本体２を取り付けてなるものであって、ブラシ本体２の木製の基台５の下面には、多数のブラシ群６、６・・が植設されている。各ブラシ群６は、６００本〜７００本程度の真鍮性のブラシ毛を高密度に束ねて二つ折りにしたものであって、基台５からの突出量は４５ｍｍ〜５０ｍｍ程度となっている。また、基台５の略中央には、取付ボルト７の軸部が挿通可能な挿通孔（図示せず）が穿設されている。尚、各ブラシ毛は、直径０．１５ｍｍ程度の真鍮線を５．５ｍｍピッチの波状に成形したものである。そして、各ブラシ毛の先端には、真鍮線の特性によりエッジが形成されている。
【００１０】
取付金具３は、金属製（たとえばステンレス製）の円筒の先端部にプレス加工によって板状のフランジ部１１を成形してなるものであって、筒状部１２に対して所定角度（たとえば４５度程度）だけ折り曲げられている。また、フランジ部１１には、取付ボルト７を挿通可能な取付孔１３と、下方へ突出する３つの突部１４、１４・・とが設けられている。図２に示すように、突部１４、１４・・は、それぞれ取付孔１３の中心から異なる半径位置に設けられている。尚、各突部１４は、フランジ部１１の上面側から打ち抜くようにして孔を穿設する際に孔周縁に形成されるバリを用いている。
一方、筒状部１２は、先端側（フランジ部１１側）へといくにしたがって徐々に厚みが薄くなっており、厚みが薄くなる分、左右方向へ幅広となっている。
【００１１】
上述したような取付金具３へは、突部１４、１４・・が突設されている側を基台５の上面に当接させ、取付ボルト７を基台５の下面側から挿通孔を介して取付孔１３を挿通させ、フランジ部１１の上方から蝶ナット８により締め付け固定することによって、ブラシ本体２を取り付けることができる。また、ブラシ本体２の取付状態にあっては、突部１４、１４・・が基台５の上面に食い込んでおり、取付ボルト７を軸としてブラシ本体２が回転しないようになっている。
また、ブラシ１の柄４は、取付金具３の筒状部１２へ開口側から打ち込むことにより、先端が取付金具３と同様の形状に変形して取付金具３に取り付けられる。柄４の取付金具３への取付状態にあっては、上述の如く柄４の先端が、取付金具３と同様に先端側へいくにしたがって左右方向へ幅広な形状に変形しており、取付金具３からの抜け止めとなっている。
【００１２】
以上のようなブラシ１によれば、ブラシ本体２に植設するブラシ毛を真鍮製としているため、ブラシ毛に適度な剛性、硬度、及び弾性をもたせることができる。したがって、エンボス加工が施されているような床面であっても、床面を傷つけることなく凹部内の汚れを確実に掻き出すことができる。さらに、スチール製のブラシ毛とは異なり、ブラシ毛が塑性変形しにくく、繰り返しの使用に耐えることができる。
【００１３】
また、各ブラシ群６を、６００本〜７００本程度の波状のブラシ毛を高密度に束ねて二つ折りにしたものとしているため、多くて２５０本程度のブラシ毛を束ねたものでしかない従来のブラシとは異なり、床面に押しつけられた際、ブラシ毛同士が支え合う格好となり、ブラシ毛が床面に対してねた状態となりにくい。したがって、ブラシ１の洗浄機能を飛躍的に向上させることができる。
【００１４】
さらに、取付金具３に対してブラシ本体２を着脱可能としているため、繰り返しの使用によってブラシ群６、６・・がすり減った場合等には、ブラシ本体２のみを交換すればよく、ブラシ本体の着脱が困難な一体型のブラシと比較すると、廃棄物の削減といった効果を期待することができるし、消費者は、ブラシ本体２のみをストックしておけばよいため、保管場所の問題やコスト面においても利点を有しており、実用性が高い。
【００１５】
さらにまた、取付ボルト７と蝶ナット８との締め付け固定によって、取付金具３にブラシ本体２を取り付けることができるため、ブラシ本体２の着脱に際して工具等を準備する必要がないし、取付金具３へ取り付けるブラシ本体２の大きさに構造上の制限がなく、様々な大きさのブラシ本体２を取り付けることができる。したがって、着脱作業の簡易化を図ることができ、より使い勝手の良いブラシ１とすることができる上、場所や目的によってブラシ本体２を選択して使用することができ、汎用性に富む。
【００１６】
またさらに、取付金具３に、ブラシ本体２を取り付けた際にブラシ本体２の基台５上面に食い込む突部１４、１４・・を設けているため、使用時にブラシ本体２が取付ボルト７を軸として回転してしまう事態を防止することができる。
【００１７】
また、突部１４、１４・・を、それぞれ取付孔１３の中心から異なる半径位置に設けているため、ブラシ本体２の取付状態においてブラシ本体２に大きな外力がかかり、ブラシ本体２が傾いてしまった（回転方向へずれた）場合に、突部１４、１４・・による傷が一連の溝となることがない。したがって、同じ半径位置に突部１４、１４・・を設けているものと比較すると、同一のブラシ本体２に対する回転防止のための機能を、より長期間にわたって維持することができる。
【００１８】
さらに、上記突部１４、１４・・としては、フランジ部１１に小孔を打ち抜くようにして形成する際に生じるバリを用いているため、突部１４、１４・・の形成を容易に行うことができる。
加えて、筒状部１２を、先端側へといくにしたがって左右方向へ幅広となるように形成しており、該筒状部１２に柄４を打ち込むにあたって、柄４の先端を筒状部１２と略同様の形状に変形させるようにしている。したがって、柄４の取付金具３への取り付けに際して、柄４は取り付け金具３からの抜け止めをもなされることとなり、非常に合理的な構成となっている。
【００１９】
なお、本考案のブラシに係る構成は、上記実施形態の態様に何ら限定されるものではなく、各部材の形状、素材、大きさ、及び設置数等に係る構成を本考案の趣旨を逸脱しない範囲で、必要に応じて適宜変更することができる。
【００２０】
たとえば、ブラシ本体の回転を防止するための構成として、上記実施の形態に記載の突部ではなく、フランジ部の前後にブラシ本体の基台を挟持するような回転防止片を立設してもよい。
また、上記実施形態のものとは異なり、複数の固定手段（取付ボルト等）によりブラシ本体を取付金具に取り付けるようにしてもよく、この場合には突部等といった回転防止手段を設けずともよい。
【００２１】
さらに、ブラシ本体の基台として木製のもの以外のもの（たとえば、取付金具として使用している金属よりは強度の低い合成樹脂製のもの）等を用いてもよい。
加えて、ブラシ毛の直径も０．１０ｍｍ以上０．２０ｍｍ以下のものであれば問題なく利用することができるし、ブラシ毛に設ける波形のピッチも３．０ｍｍ以上７．０ｍｍ以下であれば問題ないし、ブラシ群（ブラシ毛）の基台からの突出量も適宜変更しても何ら問題はない。
【図面の簡単な説明】
【００２２】
【図１】本考案にかかるブラシの先端部分を示した斜視説明図である。
【図２】取付金具を上方から見た説明図である。
【図３】取付金具を側方から見た説明図である。
【符号の説明】
【００２３】
１・・ブラシ、２・・ブラシ本体、３・・取付金具、４・・柄、５・・基台、６・・ブラシ群、７・・取付ボルト、８・・蝶ナット、１１・・フランジ部、１２・・筒状部、１３・・取付孔、１４・・突部。
【図１】
0003125164.tif 000003
【図２】
0003125164.tif 000004
【図３】
0003125164.tif 000005